(57)【要約】  第１，第２の平衡端子間の伝送特性の平衡度が改善された弾性波フィルタ装置を提供する。  ３ＩＤＴ型の縦結合型の第１，第２の弾性波フィルタ素子１３，１４が不平衡端子に並列に接続されており、第１のＩＤＴ２１及び第４のＩＤＴ２４の各一端が共通接続されて不平衡端子９に接続されており、第２，第３のＩＤＴ２２，２３が共通接続されて第１の平衡端子１０に接続されており、第５，第６のＩＤＴが共通接続されて第２の平衡端子１１に接続されており、第２，第３のＩＤＴ２２，２３の内、第１のアース端子３７に近い側のＩＤＴ２２と第２のアース端子３７とを電気的に接続している第１のアース線路の長さが、第５，第６のＩＤＴの内、第１のアース端子３７に近い側の第５のＩＤＴと第１のアース端子３７と電気的に接続している第２のアース線路よりも長くされている、弾性波フィルタ装置１４。
2008142905.tif 000002
【特許請求の範囲】
【請求項１】
不平衡端子と、第１，第２の平衡端子とを有するバランス型弾性波フィルタ装置であって、
圧電基板と、
前記圧電基板上に設けられており、不平衡端子と第１の平衡端子との間に接続されており、弾性波伝搬方向に順に配置された第２，第１，第３のＩＤＴと、第１〜第３のＩＤＴが配置されている領域の弾性波伝搬方向両側に配置された第１，第２の反射器とを有する縦結合型の第１の弾性波フィルタ素子と、
前記圧電基板の前記第１の弾性波フィルタ素子が設けられている部分の弾性波伝搬方向に隔てられて配置されており、不平衡端子と、第２の平衡端子との間に接続されており、弾性波伝搬方向に順に配置された第５，第４，第６のＩＤＴと、第４〜第６のＩＤＴが設けられている領域の弾性波伝搬方向両側に配置された第３，第４の反射器とを有する縦結合型の第２の弾性波フィルタ素子とを備え、
前記第１，第４のＩＤＴの各一端が前記不平衡端子に接続されており、各他端がアース電位に接続されており、前記第２，第３のＩＤＴの各一端が第１の平衡端子に、各他端がアース電位に接続され、前記第５，第６のＩＤＴの各一端が第２の平衡端子に、各他端がアース電位に接続されるように構成されており、
前記圧電基板上において、外部のアース電位に接続される第１のアース端子が、前記第１，第２の弾性波フィルタ素子よりも前記不平衡端子側に、かつ前記第１，第２の弾性波フィルタ素子間の中点よりも前記第１の弾性波フィルタ素子側に設けられており、
前記第２，第３のＩＤＴの内、前記第１のアース端子に近い側のＩＤＴのアース電位に接続される端部と前記第１のアース端子とを接続している第１のアース線路が、前記第５，第６のＩＤＴの内、前記第１のアース端子に近い側のＩＤＴのアース電位に接続される端部と前記第１のアース端子とを接続している第２のアース線路に比べて長くされていることを特徴とする、バランス型弾性波フィルタ装置。
【請求項２】
不平衡端子と第１，第２の平衡端子とを有し、平衡−不平衡変換機能を有するバランス型弾性波フィルタ装置であって、
圧電基板と、
前記圧電基板上に形成された縦結合共振子型の第１〜第４の弾性波フィルタ素子とを備え、
第１〜第４の弾性波フィルタ素子の内３つの素子の入力信号に対する出力信号の位相差が同相にされており、かつ残りの１つの弾性波フィルタ素子の入力信号に対する出力信号の位相に対して１８０°異ならされており、
前記第１の弾性波フィルタ素子が、弾性波伝搬方向に順に配置された第２，第１，第３のＩＤＴと、第１〜第３のＩＤＴが配置されている領域の弾性波伝搬方向両側に配置された第１，第２の反射器とを有する縦結合型の弾性波フィルタ素子であり、
前記第２の弾性波フィルタ素子が、前記圧電基板の前記第１の弾性波フィルタ素子が設けられている部分の弾性波伝搬方向に隔てられて配置されており、弾性波伝搬方向に順に配置された第５，第４，第６のＩＤＴと、第４〜第６のＩＤＴが設けられている領域の弾性波伝搬方向両側に配置された第３，第４の反射器とを有する縦結合型の弾性波フィルタ素子であり、
前記第１，第２の弾性波フィルタ素子の第１，第４のＩＤＴの各一端が共通接続されて前記不平衡端子に接続されており、前記第１の弾性波フィルタ素子が前記第３の弾性波フィルタ素子を介して第１の平衡端子に接続されており、前記第２の弾性波フィルタ素子が前記第４の弾性波フィルタ素子を介して第２の平衡端子に接続されており、
前記圧電基板上において、外部のアース電位に接続される第１のアース端子が、前記第１，第２の弾性波フィルタ素子よりも前記不平衡端子側に、かつ前記第１，第２の弾性波フィルタ素子間の中点よりも前記第１の弾性波フィルタ素子側に設けられており、
前記第２，第３のＩＤＴの内、前記第１のアース端子に近い側のＩＤＴのアース電位に接続される端部と前記第１のアース端子とを接続している第１のアース線路が、前記各第５，第６のＩＤＴの内、前記第１のアース端子に近い側のＩＤＴのアース電位に接続される端部と前記第１のアース端子とを接続している第２のアース線路に比べて長くされていることを特徴とする、バランス型弾性波フィルタ装置。
【請求項３】
圧電基板と、
前記圧電基板上に配置された第１のＩＤＴと、
第１のＩＤＴの弾性波伝搬方向両側に配置された第２，第３のＩＤＴと、第１〜第３のＩＤＴが配置されている部分の弾性波伝搬方向両側に配置された第４，第５のＩＤＴと、第１〜第５のＩＤＴが設けられている部分の弾性波伝搬方向両側に配置された第１，第２の反射器とを有する縦結合共振子型のバランス型弾性波フィルタ装置であって、
不平衡端子と、第１，第２の平衡端子とを有し、
前記第２及び第３のＩＤＴの各一端が前記不平衡端子に接続されており、
前記第１のＩＤＴが弾性波伝搬方向に分割されて設けられた第１の分割ＩＤＴ部及び第２の分割ＩＤＴ部を有し、
前記第１の分割ＩＤＴ部及び前記第４のＩＤＴが前記第１の平衡端子に接続されており、前記第２の分割ＩＤＴ部及び前記第５のＩＤＴが前記第２の平衡端子に接続されており、
前記圧電基板上において、外部のアース電位に接続される第１のアース端子が、前記第１〜第５のＩＤＴよりも前記不平衡端子側に、かつ第１のＩＤＴの中心よりも第４のＩＤＴ方向に寄せられて設けられており、
前記第４のＩＤＴのアース電位に接続される端部と前記第１のアース端子とを接続している第１のアース線路が、前記第２の分割ＩＤＴ部を前記第１のアース端子に接続している第２のアース線路に比べて長くされていることを特徴とする、バランス型弾性波フィルタ装置。
【請求項４】
不平衡端子と、第１，第２の平衡端子とを有するバランス型弾性波フィルタ装置であって、
圧電基板と、前記圧電基板上に設けられており、不平衡端子と第１の平衡端子との間に接続されており、弾性波伝搬方向に沿って順に、配置された、第４，第２，第１，第３及び第５のＩＤＴと、第１〜第５のＩＤＴが配置されている領域の弾性波伝搬方向両側に配置された第１，第２の反射器とを有する縦結合型の第１の弾性波フィルタ素子と、
前記圧電基板の前記第１の弾性波フィルタ素子が設けられている部分の弾性波伝搬方向または弾性波伝搬方向と逆方向に隔てられて配置されており、不平衡端子と第２の平衡端子との間に接続されており、弾性波伝搬方向に順に配置された第９，第７，第６，第８及び第１０のＩＤＴと、第６〜第１０のＩＤＴが配置されている領域の弾性波伝搬方向両側に配置された第３，第４の反射器とを有する縦結合型の第２の弾性波フィルタ素子とを備え、
前記第２，第３のＩＤＴ及び前記第７，第８のＩＤＴの各一端が共通接続されて前記不平衡端子に接続されており、各他端がアース電位に接続されており、前記第４，第１及び第５のＩＤＴの各一端がアース電位に、各他端が第１の平衡端子に接続されており、前記第９，第６及び第１０のＩＤＴの各一端がアース電位に接続されており、各他端が第２の平衡端子に接続されており、
前記圧電基板上において、外部のアース電位に接続される第１のアース端子が、前記第１，第２の弾性波フィルタ素子よりも前記不平衡端子側に、かつ前記第１，第２の弾性波フィルタ素子の中点よりも前記第１の弾性波フィルタ素子側に設けられており、
前記第４のＩＤＴのアース電位に接続される端部と前記第１のアース端子とを接続している第１のアース線路が、前記第９のＩＤＴのアース電位に接続される端部と前記第１のアース端子と接続している第２のアース線路に比べて長くされていることを特徴とする、バランス型弾性波フィルタ装置。
【請求項５】
前記不平衡端子に接続されているＩＤＴのアース電位に接続される端部に接続されており、かつ当該ＩＤＴを挟んで前記不平衡端子が設けられている側とは反対側に配置されている第２のアース端子をさらに備える、請求項１〜４のいずれか１項に記載のバランス型弾性波フィルタ装置。
【請求項６】
請求項１〜５のいずれか１項に記載のバランス型弾性波フィルタ装置を備えることを特徴とする、複合フィルタ。
【請求項７】
前記複合フィルタが、前記バランス型弾性波フィルタ装置と、該バランス型弾性波フィルタ装置とは異なる弾性波フィルタ装置とを有し、前記バランス型弾性波フィルタ装置と、該他の弾性波フィルタ装置とが、１つの圧電基板上に設けられており、前記バランス型弾性波フィルタ装置及び前記他の弾性波フィルタ装置が前記第１のアース端子を共有している、請求項６に記載の複合フィルタ。
【発明の詳細な説明】
【技術分野】
【０００１】
本発明は、平衡−不平衡変換機能を有するバランス型弾性波フィルタ装置に関し、特に、圧電基板上に形成されたアース配線及びアース端子の配置が改善された弾性波フィルタ装置及び該弾性波フィルタ装置を用いた複合フィルタに関する。
【背景技術】
【０００２】
近年、携帯電話機などでは、複数の通信システムが備えられている。従って、互いの通信システムの悪影響を低減するために通過帯域外における減衰量の拡大が強く求められている。また、携帯電話機の小型化に伴い、１つの圧電基板上に２つのフィルタ素子が構成されている小型のデュアルフィルタチップが開発されている。【０００３】
上記のようなデュアルフィルタチップの一例として、下記の特許文献１には、１つの圧電基板上に第１，第２の弾性表面波フィルタ素子を配置したバランス型弾性波フィルタ装置が開示されている。【０００４】
図１３は、特許文献１に記載のバランス型弾性波フィルタ装置を示す模式的平面図である。【０００５】
バランス型弾性波フィルタ装置１００１では、圧電基板１００２上に図示の電極構造が形成されている。この電極構造の形成により、縦結合型の第１，第２の弾性表面波フィルタ１０１１，１０１１Ａが形成されている。【０００６】
第１の弾性表面波フィルタ１０１１は、不平衡端子１０１３と、第１，第２の平衡端子１０１４，１０１５とを有する平衡−不平衡変換機能を有するバランス型の弾性表面波フィルタである。弾性表面波フィルタ１０１１は、不平衡端子１０１３に１ポート型弾性表面波共振子１０１６を介して接続された第１，第２の３ＩＤＴ型の縦結合型弾性表面波フィルタ素子１０１７，１０１８を有する。弾性表面波フィルタ素子１０１７，１０１８は、１ポート型弾性表面波共振子１０１９，１０２０を介して、それぞれ、第１，第２の平衡端子１０１４，１０１５に接続されている。【０００７】
第２の弾性表面波フィルタ１０１１Ａは、第１の弾性表面波フィルタ１０１１と同様に構成されている。従って、第１の弾性表面波１０１１の説明に用いた参照番号に、Ａを付した参照番号を付することにより、第１の弾性表面波フィルタ１０１１の説明を第２の弾性表面波フィルタ１０１１Ａの説明に援用することとする。
【特許文献１】ＷＯ２００６／００３７８７
【発明の開示】
【０００８】
平衡−不平衡変換機能を有する弾性波フィルタ装置では、第１，第２の平衡端子１０１４，１０１５間、あるいは第１，第２の平衡端子１０１４Ａ，１０１５Ａ間における信号の平衡度が良好であることが求められる。そのため、圧電基板１００２上に形成されるＩＤＴ電極や反射器等の電極だけでなく、入力信号やアース電位に接続される端子の位置並びに引回しのための接続配線はできる限り、圧電基板の中心を通る仮想線に対し線対称に配置されている。
【０００９】
しかしながら、フィルタチップの小型化に伴って、圧電基板１００２上における配線の余裕が少なくなってきているのが実情である。
【００１０】
弾性波フィルタ装置１００１を実際に製造するに際しては、アース電位に接続されるアース配線及びアース端子はできるだけ複数の部分で共通化される。例えば、図１３において矢印Ａで示す部分にアース端子が設けられる。このアース端子は、第１の弾性表面波フィルタ１０１１の平衡端子１０１４，１０１５に接続されるＩＤＴのアース端と、第２の弾性表面波フィルタ１０１０において、平衡端子１０１４Ａ，１０１５Ａに接続される各ＩＤＴのアース電位に接続される端部とに電気的に接続される。すなわち、第１，第２の弾性表面波フィルタ１０１１，１０１１Ａにおいて、平衡端子に接続されるＩＤＴのアース電位に接続される側の端部は共通接続され、アース端子に接続される。この場合、矢印Ａで示す位置に設けられるアース端子は、第１，第２の弾性表面波フィルタ１０１１，１０１１Ａ間の中心付近に配置される。それによって、対称性が高められ、平衡度の悪化を抑制することができると考えられる。
【００１１】
しかしながら、このようにして構成された従来の弾性波フィルタ装置１００１では、弾性表面波フィルタ１０１１または弾性表面波フィルタ１０１１Ａの通過帯域外であって通過帯域近傍における減衰特性において、平衡度が悪化していることがわかった。
【００１２】
本発明の目的は、上述した従来技術の現状に鑑み、平衡−不平衡変換機能を有するバランス型弾性波フィルタ装置であって、通過帯域外における減衰特性における平衡度の悪化を抑制することが可能とされている、バランス型弾性波フィルタ装置及び該バランス型弾性波フィルタ装置を用いた複合フィルタを提供することにある。
【００１３】
本願の第１の発明によれば、不平衡端子と、第１，第２の平衡端子とを有するバランス型弾性波フィルタ装置であって、圧電基板と、前記圧電基板上に設けられており、不平衡端子と第１の平衡端子との間に接続されており、弾性波伝搬方向に順に配置された第２，第１，第３のＩＤＴと、第１〜第３のＩＤＴが配置されている領域の弾性波伝搬方向両側に配置された第１，第２の反射器とを有する縦結合型の第１の弾性波フィルタ素子と、前記圧電基板の前記第１の弾性波フィルタ素子が設けられている部分の弾性波伝搬方向に隔てられて配置されており、不平衡端子と、第２の平衡端子との間に接続されており、弾性波伝搬方向に順に配置された第５，第４，第６のＩＤＴと、第４〜第６のＩＤＴが設けられている領域の弾性波伝搬方向両側に配置された第３，第４の反射器とを有する縦結合型の第２の弾性波フィルタ素子とを備え、前記第１，第４のＩＤＴの各一端が前記不平衡端子に接続されており、各他端がアース電位に接続されており、前記第２，第３のＩＤＴの各一端が第１の平衡端子に、各他端がアース電位に接続され、前記第５，第６のＩＤＴの各一端が第２の平衡端子に、各他端がアース電位に接続されるように構成されており、前記圧電基板上において、外部のアース電位に接続される第１のアース端子が、前記第１，第２の弾性波フィルタ素子よりも前記不平衡端子側に、かつ前記第１，第２の弾性波フィルタ素子間の中点よりも前記第１の弾性波フィルタ素子側に設けられており、前記第２，第３のＩＤＴの内、前記第１のアース端子に近い側のＩＤＴのアース電位に接続される端部と前記第１のアース端子とを接続している第１のアース線路が、前記第５，第６のＩＤＴの内、前記第１のアース端子に近い側のＩＤＴのアース電位に接続される端部と前記第１のアース端子とを接続している第２のアース線路に比べて長くされていることを特徴とする、バランス型弾性波フィルタ装置が提供される。
【００１４】
第２の発明によれば、不平衡端子と第１，第２の平衡端子とを有し、平衡−不平衡変換機能を有するバランス型弾性波フィルタ装置であって、圧電基板と、前記圧電基板上に形成された縦結合共振子型の第１〜第４の弾性波フィルタ素子とを備え、第１〜第４の弾性波フィルタ素子の内３つの素子の入力信号に対する出力信号の位相差が同相にされており、かつ残りの１つの弾性波フィルタ素子の入力信号に対する出力信号の位相に対して１８０°異ならされており、前記第１の弾性波フィルタ素子が、弾性波伝搬方向に順に配置された第２，第１，第３のＩＤＴと、第１〜第３のＩＤＴが配置されている領域の弾性波伝搬方向両側に配置された第１，第２の反射器とを有する縦結合型の弾性波フィルタ素子であり、前記第２の弾性波フィルタ素子が、前記圧電基板の前記第１の弾性波フィルタ素子が設けられている部分の弾性波伝搬方向に隔てられて配置されており、弾性波伝搬方向に順に配置された第５，第４，第６のＩＤＴと、第４〜第６のＩＤＴが設けられている領域の弾性波伝搬方向両側に配置された第３，第４の反射器とを有する縦結合型の弾性波フィルタ素子であり、前記第１，第２の弾性波フィルタ素子の第１，第４のＩＤＴの各一端が共通接続されて前記不平衡端子に接続されており、前記第１の弾性波フィルタ素子が前記第３の弾性波フィルタ素子を介して第１の平衡端子に接続されており、前記第２の弾性波フィルタ素子が前記第４の弾性波フィルタ素子を介して第２の平衡端子に接続されており、前記圧電基板上において、外部のアース電位に接続される第１のアース端子が、前記第１，第２の弾性波フィルタ素子よりも前記不平衡端子側に、かつ前記第１，第２の弾性波フィルタ素子間の中点よりも前記第１の弾性波フィルタ素子側に設けられており、前記第２，第３のＩＤＴの内、前記第１のアース端子に近い側のＩＤＴのアース電位に接続される端部と前記第１のアース端子とを接続している第１のアース線路が、前記各第５，第６のＩＤＴの内、前記第１のアース端子に近い側のＩＤＴのアース電位に接続される端部と前記第１のアース端子とを接続している第２のアース線路に比べて長くされていることを特徴とする、バランス型弾性波フィルタ装置が提供される。
【００１５】
第３の発明によれば、圧電基板と、前記圧電基板上に配置された第１のＩＤＴと、第１のＩＤＴの弾性波伝搬方向両側に配置された第２，第３のＩＤＴと、第１〜第３のＩＤＴが配置されている部分の弾性波伝搬方向両側に配置された第４，第５のＩＤＴと、第１〜第５のＩＤＴが設けられている部分の弾性波伝搬方向両側に配置された第１，第２の反射器とを有する縦結合共振子型のバランス型弾性波フィルタ装置であって、不平衡端子と、第１，第２の平衡端子とを有し、前記第２及び第３のＩＤＴの各一端が前記不平衡端子に接続されており、前記第１のＩＤＴが弾性波伝搬方向に分割されて設けられた第１の分割ＩＤＴ部及び第２の分割ＩＤＴ部を有し、前記第１の分割ＩＤＴ部及び前記第４のＩＤＴが前記第１の平衡端子に接続されており、前記第２の分割ＩＤＴ部及び前記第５のＩＤＴが前記第２の平衡端子に接続されており、前記圧電基板上において、外部のアース電位に接続される第１のアース端子が、前記第１〜第５のＩＤＴよりも前記不平衡端子側に、かつ第１のＩＤＴの中心よりも第４のＩＤＴ方向に寄せられて設けられており、前記第４のＩＤＴのアース電位に接続される端部と前記第１のアース端子とを接続している第１のアース線路が、前記第２の分割ＩＤＴ部を前記第１のアース端子に接続している第２のアース線路に比べて長くされていることを特徴とする、バランス型弾性波フィルタ装置が提供される。
【００１６】
第４の発明によれば、不平衡端子と、第１，第２の平衡端子とを有するバランス型弾性波フィルタ装置であって、圧電基板と、前記圧電基板上に設けられており、不平衡端子と第１の平衡端子との間に接続されており、弾性波伝搬方向に沿って順に、配置された、第４，第２，第１，第３及び第５のＩＤＴと、第１〜第５のＩＤＴが配置されている領域の弾性波伝搬方向両側に配置された第１，第２の反射器とを有する縦結合型の第１の弾性波フィルタ素子と、前記圧電基板の前記第１の弾性波フィルタ素子が設けられている部分の弾性波伝搬方向または弾性波伝搬方向と逆方向に隔てられて配置されており、不平衡端子と第２の平衡端子との間に接続されており、弾性波伝搬方向に順に配置された第９，第７，第６，第８及び第１０のＩＤＴと、第６〜第１０のＩＤＴが配置されている領域の弾性波伝搬方向両側に配置された第３，第４の反射器とを有する縦結合型の第２の弾性波フィルタ素子とを備え、前記第２，第３のＩＤＴ及び前記第７，第８のＩＤＴの各一端が共通接続されて前記不平衡端子に接続されており、各他端がアース電位に接続されており、前記第４，第１及び第５のＩＤＴの各一端がアース電位に、各他端が第１の平衡端子に接続されており、前記第９，第６及び第１０のＩＤＴの各一端がアース電位に接続されており、各他端が第２の平衡端子に接続されており、前記圧電基板上において、外部のアース電位に接続される第１のアース端子が、前記第１，第２の弾性波フィルタ素子よりも前記不平衡端子側に、かつ前記第１，第２の弾性波フィルタ素子の中点よりも前記第１の弾性波フィルタ素子側に設けられており、前記第４のＩＤＴのアース電位に接続される端部と前記第１のアース端子とを接続している第１のアース線路が、前記第９のＩＤＴのアース電位に接続される端部と前記第１のアース端子と接続している第２のアース線路に比べて長くされていることを特徴とする、バランス型弾性波フィルタ装置が提供される。
【００１７】
すなわち、第１〜第４の発明（以下、本発明と総称する）は、いずれも、圧電基板上に不平衡端子と第１，第２の平衡端子とが設けられたバランス型弾性波フィルタ装置において、外部のアース電位に接続される第１のアース端子が弾性波フィルタ素子のＩＤＴが設けられている部分よりも不平衡端子側であって、かつ第１，第２の弾性波フィルタ素子間の中点、あるいは第１の平衡端子及び第２の平衡端子に接続されるＩＤＴ間の中点よりも第１の弾性波フィルタ素子側または第１の平衡端子に接続されるＩＤＴ側に寄せられて設けられている構成において、不平衡端子−第１の平衡端子間に挿入されているＩＤＴの内、最も第１のアース端子に近いＩＤＴと該第１のアース端子とを結んでいる第１のアース線路の長さを、不平衡端子−第２の平衡端子間に挿入されており、かつ第１のアース端子に最も近いＩＤＴのアース電位に接続される端部と第１のアース端子とを接続している第２のアース線路の長さに比べて長くしたことにおいて共通する。それによって、前記第１のアース端子に最も近いＩＤＴにおけるアースの強化が抑制され、不平衡端子−第２の平衡端子間に挿入されているＩＤＴのアース電位に接続される側の端部におけるアースの程度との差が小さくされている。そのため、通過帯域外減衰特性における平衡度を改善することが可能とされている。
【００１８】
本発明の他の特定の局面では、前記不平衡端子に接続されているＩＤＴのアース電位に接続される端部に接続されており、かつ当該ＩＤＴを挟んで前記不平衡端子が設けられている側とは反対側に配置されている第２のアース端子がさらに備えられている。
【００１９】
本発明の複合フィルタは、上記本発明のバランス型弾性波フィルタ装置を備えることを特徴とし、該複合フィルタでは、バランス型弾性波フィルタ装置の上記第１のアース端子を、他のフィルタチップのアース端子と共通化したとしても、上記バランス型弾性波フィルタ装置における信号の平衡度の悪化を確実に抑制することができる。
【００２０】
本発明のある特定の局面では、前記複合フィルタが、前記バランス型弾性波フィルタ装置と、該バランス型弾性波フィルタ装置とは異なる弾性波フィルタ装置とを有し、前記バランス型弾性波フィルタ装置と、該他の弾性波フィルタ装置とが、１つの圧電基板上に設けられており、前記バランス型弾性波フィルタ装置及び前記他の弾性波フィルタ装置が前記第１のアース端子を共有している。
（発明の効果）
【００２１】
上記のように、第１，第２の発明に係るバランス型弾性波フィルタ装置では、前記第２，第３のＩＤＴの内、前記第１のアース端子に最も近い側のＩＤＴのアース電位に接続される端部と前記第１のアース端子とを接続している第１のアース線路が、第５，第６のＩＤＴの内、第１のアース端子に最も近い側のＩＤＴのアース電位に接続される端部と第１のアース端子とを接続している第２のアース線路に比べて長くされているので、相対的に長い第１のアース線路により、第２，第３のＩＤＴの内、第１のアース端子に最も近い側のＩＤＴにおいてアースが強化され難くなっている。そのため、第１，第２の平衡端子間の信号の平衡度を改善することが可能となる。上記第２のアース線路に比べて第１のアース線路の長さを長くすることにより、信号の平衡度が改善される理由は必ずしも明確ではないが、不平衡端子に接続されている第１のＩＤＴから第１のアース端子に向かって流れる直達波の影響が抑制されることによると考えられる。
【００２２】
同様に、第３，第４の発明においても、第１のアース線路の長さが、第２のアース線路に比べて長くされているため、第１のアース線路に接続されているＩＤＴ側におけるアースが弱められる。従って、第３，第４の発明においても、第１，第２の平衡端子間における信号の平衡度を高めることが可能となる。
【００２３】
よって、本発明の弾性波フィルタ装置を用いた場合、第１のアース線路に接続される第１のアース端子が、フィルタ素子間の中心からずらされて配置されたとしても、信号の平衡度の悪化抑制することができるので、信号の平衡度の悪化を招くことなく、該第１のアース端子を、隣接して設けられる他のフィルタチップのアース端子と共通化することができる。よって、複合フィルタ装置等の小型化を進めることも可能となる。
【図面の簡単な説明】
【００２４】
【図１】図１は、本発明の第１の実施形態に係る複合フィルタを示す模式的平面図である。
【図２】図２は、第１の実施形態の複合フィルタと比較するために用意した比較例の複合フィルタを示す模式的平面図である。
【図３】図３（ａ）は第１の実施形態における第１の平衡端子側及び第２の平衡端子側の減衰量周波数特性を示す図であり、（ｂ）は第１，第２の平衡端子側の差動特性を示す図である。
【図４】図４（ａ）は、図２に示した比較例における第１，第２の平衡端子の減衰量−周波数特性を示し、（ｂ）は両平衡端子から差動特性を示す図である。
【図５】図５は、本発明の第２の実施形態としての弾性波フィルタ装置の電極構造を示す模式的平面図である。
【図６】図６は、第２の実施形態の比較のために示す従来の弾性波フィルタ装置の電極構造を示す模式的平面図である。
【図７】図７は、本発明の第３の実施形態としての複合フィルタの電極構造を示す模式的平面図である。
【図８】図８は、第３の実施形態と比較するために用意した従来例の複合フィルタの電極構造を示す模式的平面図である。
【図９】図９は、本発明の第４の実施形態としての弾性波フィルタ素子の電極構造を示す模式的平面図である。
【図１０】図１０は、第４の実施形態と対比するために用意した比較例の弾性波フィルタ装置の電極構造を示す模式的平面図である。
【図１１】図１１は、本発明の第５の実施形態としての弾性波フィルタ装置の電極構造を示す模式的平面図である。
【図１２】図１２は、第５の実施形態と対比するために用意した比較例の弾性波フィルタ素子の電極構造を示す模式的平面図である。
【図１３】図１３は、従来の弾性表面波フィルタ装置の一例を説明するための模式的平面図である。
【符号の説明】
【００２５】
１…複合フィルタ
２…圧電基板
３…受信用フィルタ
４…受信用フィルタ
６…不平衡端子
７，８…第１，第２の平衡端子
９…不平衡端子
１０，１１…第１，第２の平衡端子
１２…弾性表面波共振子
１３，１４…第１，第２の弾性波フィルタ素子
２１〜２３…第１〜第３のＩＤＴ
２４〜２６…第４〜第６のＩＤＴ
２７，２８…弾性表面波共振子
３１，３２…第１，第２の反射器
３３，３４…第３，第４の反射器
３５…アース配線部
３６…アース配線部
３７…第１のアース端子
３８…第２のアース端子
１０１…弾性波フィルタ装置
１０２…圧電基板
１０３…不平衡端子
１０４，１０５…第１，第２の平衡端子
１１２…第１のアース配線
２０１…複合フィルタ
２０２…弾性波フィルタ装置
２０３…弾性波フィルタ装置
２０４…不平衡端子
２０５，２０６…第１，第２の平衡端子
２０７…不平衡端子
２０８，２０９…第１，第２の平衡端子
２１１〜２１４…第１〜第４の弾性波フィルタ素子
２２１〜２２６…第１〜第６のＩＤＴ
２４１…第１のアース配線
２４２…第２のアース配線
４０１…弾性波フィルタ装置
６０１…弾性波フィルタ装置
【発明を実施するための最良の形態】
【００２６】
以下、図面を参照しつつ本発明の具体的な実施形態を説明することにより、本発明を明らかにする。【００２７】
図１は、本発明の一実施形態に係る弾性波フィルタ装置が備えられた複合フィルタの模式的平面図である。本実施形態の複合フィルタは、ＥＧＳＭ受信用フィルタと、ＰＣＳ受信用フィルタとを１つの圧電基板２上に構成した弾性表面波装置である。【００２８】
圧電基板２上に、図示の電極構造を形成することにより、いずれも平衡−不平衡変換機能を有するＥＧＳＭ受信用フィルタ３及びＰＣＳ受信用フィルタ４が構成されている。ＥＧＳＭ受信用フィルタ３は、不平衡端子６と、第１，第２の平衡端子７，８とを有する。同様に、ＰＣＳ受信用フィルタ４は、不平衡端子９と、第１，第２の平衡端子１０，１１とを有する。不平衡端子６，９側のインピーダンスは５０Ωとされており、第１，第２の平衡端子７，８，１０，１１側のインピーダンスは１００Ωとされている。【００２９】
また、受信用フィルタ３，４は、図示の電極構造を有する弾性表面波フィルタである。よって、受信用フィルタ３，４は、平衡−不平衡変換機能と、インピーダンス変換機能とを備えた弾性表面波フィルタ装置である。【００３０】
本実施形態の複合フィルタ１では、上記受信用フィルタ３，４の内、ＰＣＳ受信用フィルタ４が、本発明の一実施形態に係るバランス型弾性波フィルタ装置である。【００３１】
ＰＣＳ受信用フィルタ４は、不平衡端子９に接続された１ポート型弾性表面波共振子１２を有する。不平衡端子９には、１ポート型弾性表面波共振子１２を介して、３ＩＤＴ型の第１，第２の弾性波フィルタ素子１３，１４が接続されている。第１，第２の弾性波フィルタ素子１３，１４は、いずれも３ＩＤＴ型の縦結合型の弾性表面波フィルタである。【００３２】
第１の弾性波フィルタ素子１３は、第１のＩＤＴ２１と、第１のＩＤＴ２１の弾性表面波伝搬方向両側に配置された第２，第３のＩＤＴ２２，２３とを有する。すなわち、弾性表面波伝搬方向に沿って、第２のＩＤＴ２２、第１のＩＤＴ２１及び第３のＩＤＴ２３の順に、ＩＤＴ２１〜２３が配置されている。ＩＤＴ２１〜２３が設けられている領域の表面波伝搬方向両側に、第１，第２の反射器３１，３２が配置されている。【００３３】
他方、第２の弾性波フィルタ素子１４では、弾性表面波伝搬方向に沿って、第５のＩＤＴ２５、第４のＩＤＴ２４及び第６のＩＤＴ２６がこの順序で配置されている。第４〜第６のＩＤＴ２４〜２６が設けられている領域の表面波伝搬方向両側に、第３，第４の反射器３３，３４が配置されている。第２の弾性波フィルタ素子１４は、第１の弾性波フィルタ素子１３の弾性表面波伝搬方向に隔てられて配置されている。【００３４】
第１の弾性波フィルタ素子１３における弾性波伝搬方向と、第２の弾性波フィルタ素子１４における弾性波伝搬方向とは、同方向または逆方向である。【００３５】
第１の弾性波フィルタ素子１３の第１のＩＤＴ２１の一端が１ポート型弾性表面波共振子１２を介して不平衡端子９に接続されており、他端がアース電位に接続される。第２，第３のＩＤＴ２２，２３の各一端がアース電位に接続されており、各他端は共通接続され、弾性表面波共振子２７を介して第１の平衡端子１０に接続されている。また、第２の弾性波フィルタ素子１４においても、中央の第４のＩＤＴ２４の一端が１ポート型弾性表面波共振子１２を介して不平衡端子９に接続されている。他方、第５，第６のＩＤＴ２５，２６の一端がアース電位に接続されており、各他端が共通接続され、１ポート型弾性表面波共振子２８を介して第２の平衡端子１１に接続されている。【００３６】
ところで、圧電基板２上において、これらの電極を形成した場合、アース電位に接続される部分間はアース配線で共通接続されるのが普通である。ここでは、第１，第２の弾性波フィルタ素子１３，１４が設けられている領域の不平衡端子９側に、第１のアース配線部３５が設けられている。また、第１，第２の弾性波フィルタ素子１３，１４が設けられている部分の平衡端子１０，１１側に、第２のアース配線部３６が設けられている。第１のアース配線部３５は、第１のアース端子３７に接続されており、第２のアース配線部３６は第２のアース端子３８に接続されている。第１，第２のアース端子３７，３８は、複合フィルタ１の外部のアース電位に接続される部分に電気的に接続される外部端子である。【００３７】
ところで、第１のアース端子３７は、圧電基板２上において、第１，第２の弾性波フィルタ素子１３，１４よりも不平衡端子９側に、かつ第１，第２の弾性波フィルタ素子１３，１４間の中心よりも、第１の弾性波フィルタ素子１３側にずらされて配置されている。これは、第１のアース端子３７は、図示のように、上記実施形態の弾性波フィルタ装置であるＰＣＳ受信用フィルタ４に隣接するＥＧＳＭ受信用フィルタ３のアース電位に接続されるアース端子と共通化されていることによる。すなわち、第１のアース端子３７は、２つの受信用フィルタ３，４間に配置されている。２つの受信用フィルタ３，４間の中心に外部のアース電位に接続するための第１のアース端子３７を配置し、かつ受信用フィルタ３，４間でアース端子を共通化することにより、弾性波フィルタ装置全体の小型化を図ることができる。【００３８】
他方、本実施形態では、不平衡端子９に接続されているＩＤＴである、第１のＩＤＴ２１及び第４のＩＤＴ２４のアース電位に接続される端部は、第２のアース配線部３６により接続されており、第２のアース端子３８に電気的に接続されている。【００３９】
第１の平衡端子１０に接続されているＩＤＴである、第２，第３のＩＤＴ２２，２３のアース電位に接続される端部は、図１から明らかなように、第２のアース配線部３６により接続されている。【００４０】
本実施形態の特徴は、第２，第３のＩＤＴ２２，２３の内第１のアース端子３７に近い側の第２のＩＤＴ２２と第１のアース端子３７とを接続している第１のアース線路の長さが、第５，第６のＩＤＴ２５，２６の内、第１のアース端子３７に近い側のＩＤＴ２５のアース電位に接続される端部と第１のアース端子３７とを接続している第２のアース線路に比べて長くされていることにある。それによって、通過帯域外減衰特性が改善されている。これは以下の理由による。【００４１】
なお、以下の説明においては、異なる部分については参照番号にＡが付加されて示されている図２の比較例と対比しつつ、上記実施形態の特徴を説明することとする。【００４２】
図２に示す比較例の複合フィルタでは、第１のＩＤＴ２１の両側に配置された第２のＩＤＴ２２Ａ，２３の内、第２のＩＤＴ２２Ａの一端は第１の平衡端子１０Ａに接続され、他端がアース電位に接続される。このアース電位に接続されるＩＤＴの他端は、アース線路３５Ａにより、ＩＤＴ２３のアース電位に接続される端部と接続されており、かつ反射器３２と第１のアース端子３７とを接続しているアース配線Ａに連ねられている。他方、第５のＩＤＴ２５及び第６のＩＤＴ２６のアース電位に接続される端部同士がアース配線３５Ｂにより接続されており、かつ第５のＩＤＴ２５は、上記アース配線Ａに接続されている。従って、上記比較例では、ＩＤＴ２２Ａが、第１のアース端子３７に最も近接しているが、第１のＩＤＴ２２Ａのアース電位に接続される端部から第１のアース端子３７に至るアース線路の長さは、第５のＩＤＴ２５のアース電位に接続される端部と第１のアース端子３７と接続しているアース線路の長さより若干短くされている。アース配線Ａの一端が反射器３２，３３間の中心に接続されている場合には、両者のアース線路の長さはほぼ同等となる。【００４３】
このように、第２のＩＤＴ２２Ａを第１のアース端子３７に接続するアース線路及び第５のＩＤＴ２５を第１のアース端子３７に接続するアース線路については、従来、できるだけ配線長さを短くするように工夫されているのが普通であった。【００４４】
しかしながら、図２に示す構成では、不平衡端子９Ａに接続されている第１のＩＤＴ２１Ａからの直達波が外部のアース電位に接続される第１のアース端子３７に向かって流れるためか、第１のＩＤＴ２２Ａに接続されている第１の平衡端子１０Ａから取り出される信号と、第２の平衡端子１１Ａから取り出される信号との平衡度が十分でないことがわかった。【００４５】
これに対して、本実施形態では、図１に示すように、第２のＩＤＴ２２は、第１のアース端子３７に最も近接しているＩＤＴであるが、ＩＤＴ２２のアース電位に接続される端部は、反射器３１を介して配線部３６に接続されている。従って、ＩＤＴ２２のアース電位に接続される端部と第１のアース端子３７とを接続している第１のアース線路は、反射器３１、アース配線部３６、反射器３４、アース配線部３５を通り、さらにアース配線Ａを介して第１のアース端子３７に至っている。他方、第５のＩＤＴ２５のアース電位に接続される端部と第１のアース端子３７とを接続している第２のアース線路は、ＩＤＴ２５の端部から反射器３２の端部に至るバスバー部分と、上記アース配線Ａとを含む長さである。従って、第１のアース線路の長さが第２のアース配線よりも十分に長くされているため、ＩＤＴ２２においてアースが過度に強化され難い。言い換えれば、ＩＤＴ２２におけるアースが弱められており、それによって、前述したＩＤＴ２１から第１のアース端子３７に向かって流れる直達波による影響がＩＤＴ２２において軽減され、第１の平衡端子１０から取り出される信号と第２の平衡端子１１から取り出される信号との平衡度が改善されていると考えられる。【００４６】
よって、複合フィルタ１のように、第１のアース端子３７を、受信用フィルタ４と、隣接する受信用フィルタ３とで共有するために、第１のアース端子３７が、受信用フィルタ４の中心からずれた位置に配置されていたとしても、受信用フィルタ４における信号の平衡度を高めることが可能となる。よって、信号の平衡度の劣化を招くことなく、複合フィルタ１の小型化を進めることが可能となる。【００４７】
図３（ａ）は、上記実施形態の複合フィルタ１における受信用フィルタ４側の第１の平衡端子１０及び第２の平衡端子１１における挿入損失を示し、（ｂ）は第１，第２の平衡端子の挿入損失間の差動特性を示す図である。【００４８】
また、図４（ａ）は、図２に示した比較例における受信用フィルタ４Ａの平衡端子１０Ａ及び平衡端子１１Ａにおける挿入損失を示し、（ｂ）はその差動特性を示す図である。【００４９】
図４（ａ），（ｂ）から明らかなように、５ＧＨｚ付近において、平衡端子１０Ａ側及び平衡端子１１Ａ側の減衰量に約７ｄＢの差が存在する。そのため、図４（ｂ）に示した差動特性においては、高域側の減衰特性が悪化している。【００５０】
これに対して、図３（ａ）に示すように、上記実施形態では、５ＧＨｚ付近における第２の平衡端子１１側における減衰特性が約５ｄＢ改善している。第１の平衡端子１０側における減衰特性は、比較例の場合と同等である。従って、第１，第２の平衡端子１０，１１間における減衰量の差は５ＧＨｚ付近に約３ｄＢと小さくなっている。そのため、図３（ｂ）に示した差動特性において、高域側の減衰量が十分な大きさとなっていることがわかる。【００５１】
図５は、本発明の第２の実施形態に係る弾性波フィルタ装置の電極構造を示す模式的平面図であり、図６は第２の実施形態の比較のために用意した第２の比較例の弾性波フィルタ装置の電極構造を示す模式的平面図である。【００５２】
第２の実施形態の弾性波フィルタ装置１０１では、圧電基板１０２上に、図示の電極構造が形成されており、それによって、ＰＣＳ受信用フィルタが構成されている。すなわち、弾性波フィルタ装置１０１は、第１の実施形態の複合フィルタ１に用いられているＰＣＳ受信用フィルタ４と同様に、ＰＣＳ方式の携帯電話機の受信用帯域フィルタである。【００５３】
弾性波フィルタ装置１０１は、不平衡端子１０３と、第１，第２の平衡端子１０４，１０５とを有する。不平衡端子１０３側のインピーダンスは５０Ωとされており、第１，第２の平衡端子１０４，１０５側のインピーダンスは１５０Ωとされている。【００５４】
従って、弾性波フィルタ装置１０１もまた、インピーダンス変換機能と、平衡−不平衡変換機能とを有する弾性波フィルタ装置である。【００５５】
本実施形態の弾性波フィルタ装置１０１は、基本的には、第１の実施形態の弾性波フィルタ装置である受信用フィルタ４と同様である。すなわち、不平衡端子１０３が、第１の実施形態における不平衡端子９に相当し、第１，第２の平衡端子１０４，１０５が、第１の実施形態の第１，第２の平衡端子１０，１１に相当する。そして、不平衡端子１０３と第１，第２の平衡端子１０４，１０５との間に、第１の実施形態の受信用フィルタ４と同様の電極構造が接続されている。従って、同一部分については、同一の参照番号を付することにより、第１の実施形態の説明を引用することとする。【００５６】
本実施形態においても、外部のアース電位に接続される第１のアース端子３７と、外部のアース電位に接続される第２のアース端子３８とが設けられている。第１のアース端子３７は、第１，第２の弾性波フィルタ素子１３，１４よりも不平衡端子１０３側に、かつ第１の弾性波フィルタ素子１３側に寄せられて形成されている。そして、第２のＩＤＴ２２のアース電位に接続される端部は、第１の実施形態と同様に、反射器３１を介してアース配線部３６に接続されている。アース配線部３６の途中に第２のアース端子３８が設けられている。アース配線部３６は、反射器３４の一端に接続されている。反射器３４の他端がＩＤＴ２６のバスバーと共通化されており、かつアース配線部３５によりＩＤＴ２５のアース電位に接続される端部と接続されている。また、ＩＤＴ２３、反射器３２，３３及びＩＤＴ２５のアース電位に接続される端部が共通化されている。この共通化されているアース側端部にアース配線部Ａの一端が接続されており、アース配線部Ａの他端か第１のアース端子３７に接続されている。第２のアース配線部３６は、第１，第２の弾性波フィルタ素子１３，１４の平衡端子１０４，１０５側に配置されている。【００５７】
本実施形態においても、第１のアース線路の長さが、第２のアース線路の長さよりも長くされている。すなわち、本実施形態における第１のアース線路は、ＩＤＴ２２の端部から始まり、反射器３１、アース配線部３６、反射器３４、反射器３４及びＩＤＴ２６の共通バスバー、アース配線部３５、ＩＤＴ２５、反射器３２，３３の共通バスバー、並びにアース配線部Ａに至り、第１のアース端子３７で終了している。これに対して、第２のアース線路は、ＩＤＴ２５の端部に始まり、反射器３２，３３の一端を共通化している共通バスバーを得てアース配線部Ａに至り、第１のアース端子３７で終了している。従って、本実施形態においても、第１のアース線路が第２のアース線路よりも長くされている。従って、第１の実施形態と同様に、第２の実施形態においても、平衡度を改善することができる。【００５８】
なお、図６に示した第２の比較例は、図２に示した比較例とほぼ同様の構造を有する。従って、同一部分については同一の参照番号を付することによりその説明を省略する。第２の比較例では、第２のＩＤＴ２２Ａのアース電位に接続される端部が、アース配線部Ｂにより、第１のアース端子３７に直接接続されている。その他の点は、第２の実施形態と同様である。従って、第２の比較例では、平衡端子１０４または１０５に接続されるＩＤＴ２２Ａ，２４，２５，２６が第１のアース配線部３５Ａ，３５により共通接続され、第１のアース端子３７に接続されている。【００５９】
１つの圧電基板に本発明の実施形態である第２の実施形態または上記第２の比較例の弾性波フィルタ装置が構成されている。従って、図１及び図２に示した第２のアース端子３８に代えて、隣り合う素子とは共通化されていない第１のアース端子３７が用いられており、該第１のアース端子３７がアース電位に接続される。その他の点については、第２の実施形態の弾性波フィルタ装置１０１は、第１の実施形態の受信用フィルタ４と同様である。従って、第１の実施形態の場合と同様に、通過帯域外の減衰特性における平衡度を改善することができる。【００６０】
上記のように、本発明においては、１つの圧電基板上に、複合フィルタではなく、本発明に従って構成された弾性波フィルタ装置１０１のみが形成されていてもよい。【００６１】
図７は、本発明の第３の実施形態としての複合フィルタ２０１の電極構造を示す模式的平面図である。複合フィルタ２０１では、圧電基板上に図示の電極構造が形成されている。【００６２】
第３の実施形態の複合フィルタ２０１では、上記電極構造により、圧電基板上に、弾性表面波フィルタ装置２０２，２０３が構成されている。【００６３】
弾性表面波フィルタ装置２０２は、ＣＤＭＡ２１００方式の送信用フィルタであり、弾性表面波フィルタ装置２０３は、ＣＤＭＡ８００方式の送信用フィルタである。【００６４】
なお、弾性表面波フィルタ装置２０２，２０３の内、本発明の実施形態としての弾性表面波フィルタ装置は、ＣＤＭＡ２１００方式の送信フィルタである弾性表面波フィルタ装置２０２である。【００６５】
図７に示すように、弾性表面波フィルタ装置２０２は、不平衡端子２０４と、第１，第２の平衡端子２０５，２０６とを有する。また、上記ＣＤＭＡ８００方式の送信用フィルタである弾性表面波フィルタ装置２０３もまた、不平衡端子２０７と、第１，第２の平衡端子２０８，２０９とを有する。【００６６】
弾性波フィルタ装置２０２では、不平衡端子２０４と、第１，第２の平衡端子２０５，２０６との間に、第１〜第４のフィルタ素子２１１〜２１４が接続されている。【００６７】
すなわち、第１のフィルタ素子２１１と、第２のフィルタ素子２１２の各一端が、不平衡端子２０４に接続されている。第１のフィルタ素子２１１は、第１のＩＤＴ２２１と、第１のＩＤＴ２２１の表面波伝搬方向両側に配置された第２，第３のＩＤＴ２２２，２２３を有する。すなわち、表面波伝搬方向に沿って、第２のＩＤＴ２２２、第１のＩＤＴ２２１及び第３のＩＤＴ２２３がこの順序で配置されている。ＩＤＴ２２１〜２２３が設けられている領域の表面波伝搬方向両側には、第１，第２の反射器２３１，２３２が配置されている。【００６８】
同様に、第２のフィルタ素子２１２は、表面波伝搬方向に沿って順に第５のＩＤＴ２２５、第４のＩＤＴ２２４及び第６のＩＤＴ２２６がこの順序で配置された構造を有し、ＩＤＴ２２４〜２２６の設けられている領域の表面波伝搬方向両側に、第３，第４の反射器２３３，２３４が配置されている。ここでは、不平衡端子２０４に、第１，第２のフィルタ素子２１１，２１２の第１のＩＤＴ２２１及び第４のＩＤＴ２２４の各一端が共通接続されている。【００６９】
ＩＤＴ２２１，２２４の各他端は、第２のアース配線部２４２に接続されている。【００７０】
第１，第２のアース端子３７，３８は、複合フィルタ２０１外のアース電位に接続される第１，第２のアース端子である。第１のフィルタ素子２１１の第２，第３のＩＤＴ２２２，２２３の内、ＩＤＴ２２２が第１のアース端子３７に近い側のＩＤＴである。ＩＤＴ２２２のアース端子に接続される側の端部は、反射器２３１に接続されており、反射器２３１を介して上記第２のアース配線部２４２に接続されている。なお、第２のアース配線部２４２の途中に第２のアース端子３８が設けられている。【００７１】
また、第３のＩＤＴ２２３及び第５のＩＤＴ２２５の一端と、反射器２３１，２３３の一端が共通接続され、第１のアース配線部２４１に接続されている。第１のアース配線部２４１には、第６のＩＤＴ２２６の一端も接続されている。【００７２】
第６のＩＤＴ２２６のアース電位に接続される側の端部は、第４の反射器２３４の一端と接続され、かつ第４の反射器２３４の他端は第２のアース配線部２４２に接続されている。従って、上記第１のアース配線部２４１は、第４の反射器２３４を介して第２のアース配線部２４２に接続されている。【００７３】
なお、第３のＩＤＴ２２３、反射器２３２、反射器２３３、第５のＩＤＴ２２５の各アース電位に接続される端部が共通化されており、該共通化されている部分が、アース配線部Ａにより第１のアース端子３７に電気的に接続されている。第１のアース端子３７は、第１，第２のフィルタ素子２１１，２１２の不平衡端子２０４側であって、かつ両フィルタ素子２１１，２１２間の中心よりも第１のフィルタ素子２１１側に配置されている。ＩＤＴ２２２，２２３の内、第１のアース端子３７に近い側のＩＤＴは、第２のＩＤＴ２２２である。第２のＩＤＴ２２２のアース電位に接続される端部は、第１のアース線路を介して第１のアース端子３７に接続されている。ここで、第１のアース線路とは、ＩＤＴ２２２のアース電位に接続される端部から始まり、反射器２３１、アース配線部２４２、反射器２３４、アース配線部２４１、及びアース配線部Ａを含む線路である。【００７４】
これに対して、本実施形態における第２のアース線路とは、第２のフィルタ素子２１２のＩＤＴ２２５，２２６の内、第１のアース端子３７に近い側のＩＤＴ２２５と第１のアース端子３７とを結ぶ線路である。すなわち、ＩＤＴ２２５の端部からアース配線部Ａに至り、第１のアース端子３７で終了するアース線路である。従って、本実施形態においても、第１のアース線路が、第２のアース線路よりも長くされている。【００７５】
なお、第１のアース端子３７は、第２の弾性表面波フィルタ装置２０３を外部と電気的に接続されるためのアース端子と共通化されている。従って、第１のアース端子３７は、弾性波フィルタ装置２０２の中心よりも、第１のフィルタ素子２１１側にずらされて配置されている。【００７６】
他方、第１，第２のフィルタ素子２１１，２１２の後段には、それぞれ、第３，第４のフィルタ素子２１３，２１４が接続されている。【００７７】
より具体的には、第１のフィルタ素子２１１の第１のＩＤＴ２２１の他端と、第３の弾性波フィルタ素子２１３の第１のＩＤＴ２５１の一端とが接続されており、第３の弾性波フィルタ素子２１３の第１のＩＤＴ２５１の他端が、第１の平衡端子２０５に接続されている。また、第２，第３のＩＤＴ２２２，２２３の各他端が、第３のフィルタ素子２１３の第２，第３のＩＤＴ２５２，２５３の各一端と電気的に接続されている。ＩＤＴ２５２，２５３の他端は、アース配線２４５により共通接続されており、かつＩＤＴ２５２の他端が第１の反射器２６１に電気的に接続されている。第１の反射器２６１は、第２のアース配線部２４２に電気的に接続されている。従って、ＩＤＴ２５２，２５３のアース電位に接続される端部は、反射器２６１を介して第２のアース配線部２４２に電気的に接続されている。【００７８】
なお、第２の反射器２６２の一端は、ＩＤＴ２５３のアース電位に接続する端部に電気的に接続されている。【００７９】
第４のフィルタ素子２１４もまた第２のフィルタ素子２１２と同様に、第４〜第６のＩＤＴ２５４〜２５６と、第３，第４の反射器２６３，２６４とを有する。第４のＩＤＴ２５４の一端が第２のアース配線部２４２に電気的に接続されている。第４のＩＤＴ２５４の他端が、第２の平衡端子２０６に接続されている。第５，第６のＩＤＴ２５５，２５６の各一端が、それぞれ、第５，第６のＩＤＴ２２５，２２６の他端に電気的に接続されている。ＩＤＴ２５５，２５６の他端は第４のアース配線２４６により電気的に接続されている。【００８０】
ＩＤＴ２５６のアース電位に接続される端部は、第４の反射器２６４に電気的に接続されており、第４の反射器２６４が前述した第２のアース配線２４２に電気的に接続されている。従って、第５，第６のＩＤＴ２５５，２５６のアース電位に接続される端部は、反射器２６４を介して第２のアース配線部２４２に電気的に接続されている。【００８１】
本実施形態においても、上記平衡−不平衡変換機能を有する弾性表面波フィルタ装置２０２において、第１の平衡端子２０５側に配置されている第１のフィルタ素子２１１の第２のＩＤＴ２２２のアース電位に接続される端部が、第１，第２の平衡端子２０５または２０６に接続される残りのＩＤＴ２２３、及びＩＤＴ２２５，２２６のアース電位に接続される部分とは別線路で、第１のアース端子３７に接続されている。【００８２】
本実施形態においても、上述したように、第１のアース線路の長さが、第２のアース線路よりも長くされているため、第１の平衡端子２０５側の帯域外減衰特性は、第２の平衡端子２０６側における帯域外減衰特性との差が少なくされ、帯域外減衰特性の平衡度が高められる。【００８３】
なお、弾性表面波フィルタ装置２０３は、不平衡端子２０７と、第１，第２の平衡端子２０８，２０９との間に、３ＩＤＴ型の第５の縦結合型共振子型の弾性表面波フィルタ装置２７１と、第６の縦結合共振子型弾性表面波フィルタ素子２７２とを縦続に接続した構造を有する。【００８４】
図８は、図７に示した第３の実施形態の弾性波フィルタ装置の従来例に相当する複合フィルタ３０１の電極構造を示す模式的平面図である。ここでは、弾性表面波フィルタ装置３０２と、弾性表面波フィルタ装置２０３とが構成されている。弾性表面波フィルタ装置２０３は、上記第３の実施形態の場合と同様である。【００８５】
弾性表面波フィルタ装置３０２は、第２のＩＤＴ２２２Ａのアース電位に接続される端部が、アース配線部Ｂにより第１のアース端子３７に直接接続されていることを除いては、上記第３の実施形態と同様とされている。第１のアース端子３７に最も近い第１のフィルタ素子の第２のＩＤＴ２２２Ａがアース配線部Ｂを介してアース配線部Ａの途中の接続点に接続されているため、ＩＤＴ２２２Ａと第１のアース端子３７とを接続している第１のアース線路が、ＩＤＴ２２５と第１のアース端子３７とを接続している第２のアース線路よりも短くされている。従って、第１の平衡端子２０５側と、第２の平衡端子２０６側における通過帯域外の減衰特性に差が生じ、平衡度が悪化するおそれがある。これに対して、上記第３の実施形態では、第１，第２の実施形態の場合と同様に、帯域外減衰特性の平衡度を改善することができる。【００８６】
上記第１〜第３の実施形態では、３ＩＤＴ型の縦結合共振子型の弾性表面波フィルタ素子を用いた例につき説明したが、本発明は、５ＩＤＴ型の縦結合型の弾性波フィルタ素子を用いた構造にも適用することができる。すなわち、図９に示す第４の実施形態の弾性波フィルタ装置４０１は、５ＩＤＴ型の第１，第２の弾性波フィルタ素子４０２，４０３を用いたことを除いては、図１に示した受信用フィルタ４と同様である。従って、同一部分については、同一の参照番号を付することにより、その説明を省略する。ここでは、第１の弾性波フィルタ素子４０２が弾性表面波伝搬方向に順に、第４のＩＤＴ４１４、第２のＩＤＴ４１２、第１のＩＤＴ４１１、第３のＩＤＴ４１３及び第５のＩＤＴ４１５を有し、第２の弾性波フィルタ素子４０３においても、弾性表面波伝搬方向に沿って、第９のＩＤＴ４２４、第７のＩＤＴ４２２、第６のＩＤＴ４２１、第８のＩＤＴ４２３及び第１０のＩＤＴ４２５が配置されている。【００８７】
第１の弾性波フィルタ素子４０２では、第２，第３のＩＤＴ４１２，４１３の各一端が共通接続され、不平衡端子９に接続されており、各他端がアース配線部４４０に電気的に接続されている。そして、第１の平衡端子１０に接続される側の第１のＩＤＴ４１１、第４，第５のＩＤＴ４１４，４１５の各一端が共通接続され、弾性表面波共振子２７を介して第１の平衡端子１０に接続されている。ＩＤＴ４１１，４１５の各一端が不平衡端子９側に配置されたアース配線部Ａにより第１のアース端子３７に接続されている。また、ＩＤＴ４１５は、反射器４１７に電気的に接続されている。反射器４１４，４１７は、アース配線部４４０に電気的に接続されている。【００８８】
第１の平衡端子１０に接続されるＩＤＴの内、第１のアース端子３７に最も近い第４のＩＤＴ４１４のアース電位に接続される端部は、アース配線部Ａには接続されず、第１の反射器４１６に接続されている。【００８９】
他方、第２の弾性波フィルタ素子４０３では、不平衡端子９に接続されている第７，第８のＩＤＴ４２２，４２３のアース電位に接続される端部は、アース配線部４４０に接続されている。【００９０】
他方、第２の平衡端子１１に接続される側のＩＤＴである、第６のＩＤＴ４２１及び第９，第１０のＩＤＴ４２４，４２５のアース電位に接続される側の端部はアース配線部３５により接続されている。アース配線部３５は、反射器４２６，４２７にも接続されており、該反射器４２６が、反射器４１７に接続されており、かつ反射器４２７は、アース配線部４４０に電気的に接続されている。【００９１】
本実施形態において、第１のアース線路は、ＩＤＴ４１１，４１４，４１５の内、第１のアース端子３７に最も近いＩＤＴ４１４のアース電位に接続される端部と、第１のアース端子３７を電気的に接続する線路である。この第１の線路は、ＩＤＴ４１４のアース電位に接続される端部に始まり、反射器４１６、アース配線部４４０、反射器４０３、アース配線部３５、アース配線部Ａを通り、第１のアース端子３７で終了している。他方、第２のアース線路は、第２のフィルタ素子４０３の第２の平衡端子１１に接続されるＩＤＴの内最も第１のアース端子３７に近いＩＤＴ４２４から第１のアース端子３７に至るアース線路であり、ＩＤＴ４２４の端部からＩＤＴ４２４と共通接続されている反射器４２６，４１７を通り、アース配線Ａを通り、第１のアース端子３７で終了している線路である。本実施形態においても、第１のアース端子３７は、第１，第２のフィルタ素子４０２，４０３の不平衡端子９側に配置されており、かつ第１，第２のフィルタ素子４０２，４０３間の中心よりも第１のフィルタ素子４０２側に配置されている。【００９２】
本実施形態においても、第１のアース線路の長さが、第２のアース線路よりも長くされている。従って、第１の平衡端子１０側におけるアースと、第２の平衡端子１１側におけるアースの状況の差が小さくされており、それによって、帯域外減衰量の平衡度の改善が図られている。【００９３】
なお、図１０は、上記第３の実施形態の複合フィルタ４０１に相当する従来例の電極構造を参考までに示す模式的平面図である。この複合フィルタ５０１では、第１の弾性波フィルタ素子５０２の第１〜第５のＩＤＴ５１１〜５１５の内、第４のＩＤＴ５１４のアース電位に接続される側の端部が、アース配線部Ｂを介して、同じく平衡端子１０に接続される側のＩＤＴ５１１，５１５のアース電位に接続される側の端部とアース配線部Ａにより共通接続されている。従って、従来例では、第２のアース線路に比べて、第１のアース線路の長さが短くされている。よって、第１の弾性波フィルタ５１２と第２の弾性波フィルタ５１３において、平衡端子１０に接続される側のアースの状況と、平衡端子１１に接続される側のアースの状況との差が比較的大きいため、帯域外特性における平衡度が悪化するおそれがある。なお、第２の弾性波フィルタ５１３は、同じく第１〜第５のＩＤＴ５２１〜５２５と、反射器５２６，５２７とを有する。また、第１の弾性波フィルタ５１２もまた、第１，第２の反射器５１６，５１７を有する。【００９４】
図１１は、本発明の第５の実施形態に係る弾性波フィルタ素子の電極構造を示す模式的平面図である。第５の実施形態の弾性波フィルタ装置６０１では、不平衡端子９と第１，第２の平衡端子１０，１１との間に、５ＩＤＴ型の縦結合共振子型の弾性波フィルタ素子６０２が配置されている。【００９５】
弾性表面波フィルタ素子６０２は、第１のＩＤＴ６１１と、第１のＩＤＴ６１１の弾性表面波伝搬方向両側に配置された第２，第３のＩＤＴ６１２，６１３と、第１〜第３のＩＤＴ６１１〜６１３が配置されている領域の表面波伝搬方向両側に配置された第４，第５のＩＤＴ６１４，６１５とを有する。第１〜第５のＩＤＴ６１１〜６１５が設けられている領域の表面波伝搬方向両側には、第１，第２の反射器６１６，６１７が配置されている。ＩＤＴ６１４のアース電位に接続される側の端部が、第１の反射器６１６の端部と電気的に接続されている。同様に、第５のＩＤＴ６１５のアース電位に接続される側の端部が反射器６１７の一端と電気的に接続されている。【００９６】
不平衡端子９に、１ポート型弾性表面波共振子１２を介して、第２，第３のＩＤＴ６１２，６１３の各一端が共通接続されている。ＩＤＴ６１２，６１３の各他端は、第２のアース配線部３６により電気的に接続されている。【００９７】
他方、平衡端子に接続される側のＩＤＴである第１のＩＤＴ６１１は、表面波伝搬方向に２分割することにより設けられた第１の分割ＩＤＴ６１１ａと、第２の分割ＩＤＴ部６１１ｂとを有する。第１のＩＤＴ６１１の第１の分割ＩＤＴ部６１１ａと、第４のＩＤＴ６１４の一端とが共通接続され、１ポート型弾性表面波共振子２７を介して第１の平衡端子１０に接続されている。第２の分割ＩＤＴ部６１１ｂと、第５のＩＤＴ６１５の一端とが共通接続されて、１ポート型弾性表面波共振子２８を介して第２の平衡端子１１に接続されている。【００９８】
第１のＩＤＴ６１１のアース電位に接続される側の端部と、第５のＩＤＴ６１５のアース電位に接続される側の端部とが、アース配線部Ａにより電気的に接続されている。不平衡端子９側に配置されたアース配線部Ａとは別に、５ＩＤＴ型の弾性波フィルタ素子の平衡端子１０，１１側に第２のアース配線部３６が配置されている。第２のアース配線部３６には、不平衡端子９に接続されるＩＤＴ６１２，６１３のアース電位に接続される端部が接続されており、かつ反射器６１６，６１７も接続されている。また、反射器６１６が、前述したように、第４のＩＤＴ６１４のアース電位に接続される側の端部と電気的に接続されているので、第４のＩＤＴ６１４のアース電位に接続される側の端部は、アース配線部３６に電気的に接続されている。【００９９】
本実施形態において、第１のアース端子３７は、第１〜第５のＩＤＴ６１１〜６１５が設けられている部分よりも不平衡端子９側に配置されており、さらに、第１〜第５のＩＤＴ６１１〜６１５の中心よりも第４のＩＤＴ６１４側に寄せられて配置されている。そして、第１の平衡端子１０に接続される第１分割ＩＤＴ部６１１ａ及び第４のＩＤＴ６１４の内、第１のアース端子３７に近い側のＩＤＴもしくはＩＤＴ部分である第４のＩＤＴ６１４が、第１のアース線路を介して第１のアース端子３７に接続されている。ここで、第１のアース線路は、ＩＤＴ６１４のアース電位に接続される端部に始まり、反射器６１６を介し、アース配線部３６、反射器６１７、反射器６１７とＩＤＴ６１５との共通バスバー、アース配線部Ａを通り、第１のアース端子３７に至る線路である。【０１００】
他方、本実施形態において、第２のアース線路とは、第２の平衡端子１１に接続される第２分割ＩＤＴ部６１１ｂ及びＩＤＴ６１５の内、第１のアース端子３７に近い第２分割ＩＤＴ部６１１ｂのアース電位に接続される端部に始まり、アース配線部Ａを通り第１のアース端子３７に至る線路である。【０１０１】
従って、本実施形態においても、第１のアース線路の長さが第２のアース線路の長さよりも長くされているので、通過帯域外減衰特性の平衡度を該アース配線パターンの長さの差により調整して平衡度を改善することが可能とされている。【０１０２】
なお、参考までに、図１２に、図１１に示した実施形態の弾性波フィルタ装置の電極構造に相当する従来の弾性波フィルタ装置の電極構造を示す。この弾性波フィルタ装置７０１では、第４のＩＤＴ７１４のアース電位に接続される側の端部が、アース配線部Ｂを介してアース配線部Ａに電気的に接続されている。【０１０３】
従って、第１の平衡端子側における帯域外減衰特性と、第２の平衡端子側における帯域外減衰特性に差が生じ、帯域外減衰特性の平衡度が悪化するおそれがある。【０１０４】
なお、前述してきた各実施形態及び変形例では、弾性波フィルタ素子として弾性表面波フィルタ素子を用いたが、本発明は、弾性表面波に代えて、弾性境界波を用いてもよい。すなわち、弾性境界波フィルタ素子を用いて、本発明の弾性波フィルタ装置を構成してもよい。
【図１】
2008142905.tif 000003
【図２】
2008142905.tif 000004
【図３】
2008142905.tif 000005
【図４】
2008142905.tif 000006
【図５】
2008142905.tif 000007
【図６】
2008142905.tif 000008
【図７】
2008142905.tif 000009
【図８】
2008142905.tif 000010
【図９】
2008142905.tif 000011
【図１０】
2008142905.tif 000012
【図１１】
2008142905.tif 000013
【図１２】
2008142905.tif 000014
【図１３】
2008142905.tif 000015
【国際調査報告】
2008142905.tif 000016
2008142905.tif 000017
2008142905.tif 000018